(57)【要約】【課題】ＩＣカードディスペンサーの収容部に収容されるＩＣカードを自動に整列することができるようにする。【解決手段】このＩＣカードディスペンサーは、ＩＣカード２００を装置内部に取り込むＩＣカード移送部１００ａと、ＩＣカード移送部によって取り込まれたＩＣカードを積層して収容するＩＣカード収容部１００ｂと、ＩＣカード収容部に収容されるＩＣカードを整列させるための整列スライド部材４６を備えるＩＣカード整列部１００ｃと、ＩＣカード収容部に収容されているＩＣカードを１枚ずつ取り出すＩＣカード取出部１００ｄとを備える。そして、ＩＣカード移送部によって取り込まれたＩＣカードがＩＣカード収容部に移送されると、ＩＣカード整列部の整列スライド部材がスライド移動し、積層して収容されているＩＣカードの一端部に当接してＩＣカードを整列させる。【選択図】　　　図１
2004021271.tif 000002
【特許請求の範囲】
【請求項１】
情報の記録及び読み取りが可能な扁平部材のディスペンサーであって、
情報の記録及び読み取りが可能な扁平部材を装置内部に取り込むための扁平部材移送部と、
前記扁平部材移送部によって取り込まれた１枚以上の扁平部材を積層して収容する扁平部材収容部と、
前記扁平部材収容部に収容される扁平部材を整列させる扁平部材整列部と、
前記扁平部材収容部に収容されている扁平部材を１枚ずつ取出しする扁平部材取出部と、
を備えた情報の記録及び読み取りが可能な扁平部材のディスペンサー。
【請求項２】
前記扁平部材収容部は、一端側が他端側より下方に位置するように傾斜し上面に扁平部材が積層される傾斜板と、前記傾斜板の一端側に設けられ前記傾斜板に積層された扁平部材が下方に滑り落ちるのを規制するためのストッパーとを有している、請求項１に記載の情報の記録及び読み取りが可能な扁平部材のディスペンサー。
【請求項３】
前記扁平部材整列部は、扁平部材が前記扁平部材収容部に収容されると、前記傾斜板の他端側から一端側にスライド移動し、前記扁平部材収容部に収容された扁平部材の一端部に当接して扁平部材を整列する整列部材を有している、請求項２に記載の情報の記録及び読み取りが可能な扁平部材のディスペンサー。
【請求項４】
前記扁平部材整列部は、前記整列部材とともにスライド移動が可能なラックと、前記ラックに噛み合うピニオンギアと、前記ピニオンギアを回転させるためのモーターとを備え、
前記整列部材は、前記ピニオンギアの回転によるラックの移動に伴って、前記扁平部材収容部に収容されている扁平部材の一端部に当接する、
請求項３に記載の情報の記録及び読み取りが可能な扁平部材のディスペンサー。
【請求項５】
前記扁平部材取出部は、前記扁平部材収容部に収容されている扁平部材のうちの取出し予定の扁平部材の下面に接触可能な第１取出しローラーと、前記ストッパーに対し１枚の扁平部材が通過可能な間隙をあけて配置されたコロと、前記コロの取出し方向下流側に設けられた第２取出しローラーと、前記第２ローラーとともに扁平部材を挟持して移送する第３取出しローラーと、前記第１、第２及び第３取出しローラーを駆動可能な少なくとも一つのモーターとを備え、
前記扁平部材収容部に収容された扁平部材を取り出す際に、前記取出し予定の扁平部材が前記扁平部材収容部を通過するまで、前記第１取出しローラー及び第２取出しローラーが扁平部材の取出し方向に回転するとともに前記第３取出しローラーが空転し、前記取出し予定の扁平部材が前記扁平部材収容部から送り出されると、前記第１取出しローラー及び第２取出しローラーが空転するとともに前記第３取出しローラーが前記取出し方向と逆方向に回転する、
請求項２に記載の情報の記録及び読み取りが可能な扁平部材のディスペンサー。
【請求項６】
前記第１取出しローラー、前記第２取出しローラー及び前記第３取出しローラーは、それぞれ、中空部材と、前記中空部材の内部に挿入されたボビンと、前記ボビンの内部に挿入されて回転軸に連結され回転軸の一方向のみの回転を前記中空部材及びボビンに伝達するクラッチベアリングとを備える、請求項５に記載の情報の記録及び読み取りが可能な扁平部材のディスペンサー。
【請求項７】
前記扁平部材取出部は、前記第１取出しローラーの回転軸に固定され外周面に歯部が形成されている第１プーリーと、それぞれ前記第２取出しローラーの回転軸に固定されるとともに外周面に歯部が形成されている第２プーリー及び第１小プーリーと、前記第３取出しローラーの回転軸に固定されるとともに前記第１小プーリーと第１動力伝逹手段によって連結され外周面に歯部が形成されている第２小プーリーと、前記モーターの駆動軸に固定され外周面に歯部が形成されている第３プーリーとを更に備え、
前記第１プーリー、第２プーリー及び第３プーリーは第２動力伝逹手段によって連結されている、
請求項５又は６に記載の情報の記録及び読み取りが可能な扁平部材のディスペンサー。
【請求項８】
前記第２動力伝逹手段はタイミングベルトであり、
前記タイミングベルトの張力を調整するための調整手段を更に備える、
請求項７に記載の情報の記録及び読み取りが可能な扁平部材のディスペンサー。
【請求項９】
前記扁平部材収容部に収容されている扁平部材の上面を付勢する付勢手段を更に備える、
請求項１から８のいずれかに記載の情報の記録及び読み取りが可能な扁平部材のディスペンサー。
【請求項１０】
前記付勢手段は、前記ピニオンギア駆動用のモーターの回転に連動して作動可能な第１アームと、一端部が前記第１アームに回動可能に連結されている第２アームと、前記第２アームの他端部に設けられ前記扁平部材収容部に収容された扁平部材の上面に当接可能な付勢ローラーと、前記第１アーム及び第２アームの連結部位に設けられ前記付勢ローラーを前記扁平部材収容部に収容された扁平部材に付勢するためのねじりコイルばねとを備える、請求項４に記載の情報の記録及び読み取りが可能な扁平部材のディスペンサー。
【発明の詳細な説明】
【０００１】
【発明が属する技術分野】
本発明は、扁平部材のディスペンサー、特に、情報の記録及び読み取りが可能なＩＣカード等の扁平部材を受け入れ、さらには内部に収容された扁平部材を取り出す扁平部材のディスペンサーに関する。具体例として、本発明は、所定の作業装置と共に使用され、前記作業遂行のための貨幤情報をＩＣカードを利用して処理するＩＣカードディスペンサーに適用可能である。
【０００２】
【従来の技術】
従来より、ＩＣカードが挿入されると、挿入されたＩＣカードに情報を記録したり、あるいはＩＣカードに記録された情報を読み取るＩＣカード記録／読み取り装置がある。このような装置の一例が特公平７−９７３９８号公報に開示されている。前記公報に開示されたＩＣカード記録／読み取り装置は、ＩＣカードの投入を検出する検出手段と、投入されたＩＣカードの装置内部への引き込み及び排出を行う移送手段と、傾斜したガイド部材に沿って上昇及び下降するコンタクトヘッドと、前記ＩＣカードに情報を記録／読み取りする記録／読み取り手段とを備える。
【０００３】
また、カードなどの扁平な部材を収容しておき、これを払出す払出装置の一例が特開平９−５２６３２号公報に開示されている。前記公報に開示されている払出装置は、被払出部材収容室と、払出口と、被払出部材支持面を備えるフレームと、払出ローラーと、払出ローラーの駆動装置とを備える。
しかし、これらの公報に示された装置は、積層されて収容されているＩＣカード等の扁平部材を整列する整列手段が設けられていない。このため、収容されるＩＣカード等の扁平部材が整列されず、積層されている扁平部材を扁平部材支持面と払出ローラーに向けて、扁平部材の数にかかわらず一定の力で付勢することが困難である。
【０００４】
【発明が解決しようとする課題】
本発明は、前述した従来技術の問題点を解決し、扁平部材ディスペンサーの収容部に収容される扁平部材を自動的に整列することができる扁平部材ディスペンサーを提供することをその目的とする。
本発明の他の目的は、収容されているＩＣカード等の扁平部材を装置外部に排出する時に、二つの扁平部材が重なって排出されてしまうことや、連続して排出されることを防止する新たな構成を提供することにある。
【０００５】
本発明のさらに他の目的は、積層されて収容される扁平部材を付勢して、扁平部材をより容易に排出することができる扁平部材ディスペンサーを提供することにある。
【０００６】
【課題を解決するための手段】
本発明の第１形態による情報の記録及び読み取りが可能な扁平部材のディスペンサーは、情報の記録及び読み取りが可能な扁平部材を装置内部に取り込むための扁平部材移送部と、前記扁平部材移送部によって取り込まれた１枚以上の扁平部材を積層して収容する扁平部材収容部と、前記扁平部材収容部に収容される扁平部材を整列させる扁平部材整列部と、前記扁平部材収容部に収容されている扁平部材を１枚ずつ取出しする扁平部材取出部とを備えている。
【０００７】
前記扁平部材移送部によって装置内部に取り込まれた扁平部材が扁平部材収容部に移送されると、積層して収容された扁平部材は扁平部材整列部によって整列される。なお、この整列は、例えば、扁平部材整列部に設けられたスライド自在な整列部材をスライドさせ、積層して収容されている扁平部材の一端部に当接させることによって行われる。
【０００８】
ここでは、扁平部材収容部に収容されているＩＣカード等の扁平部材が整列されるので、この扁平部材収容部に収容されているＩＣカードをより安定して取り出すことができる。
本発明の第２形態による扁平部材のディスペンサーは、前記第１形態のディスペンサーにおいて、前記扁平部材収容部は、一端側が他端側より下方に位置するように傾斜し上面に扁平部材が積層される傾斜板と、前記傾斜板の一端側に設けられ前記傾斜板に積層された扁平部材が下方に滑り落ちるのを規制するためのストッパーとを有している。
【０００９】
このディスペンサーでは、装置内部に取り込まれた扁平部材は、扁平部材を構成する傾斜板上に積層される。この傾斜板に載置された扁平部材は、傾斜に沿って下方に落下しようとするが、傾斜板の下方側一端にはストッパーが設けられており、このストッパーによって扁平部材の落下が規制されている。
ここでは、傾斜板に収容された扁平部材は、傾斜板の傾斜に沿って一端側に移動するので、例えば、上方側である他端側から整列部材を扁平部材の一端部に当接させれば、容易に扁平部材を整列させることができる。
【００１０】
本発明の第３形態による扁平部材のディスペンサーは、前記第２形態のディスペンサーにおいて、前記扁平部材整列部は、扁平部材が前記扁平部材収容部に収容されると、前記傾斜板の他端側から一端側にスライド移動し、前記扁平部材収容部に収容された扁平部材の一端部に当接して扁平部材を整列する整列部材を有している。
【００１１】
このディスペンサーでは、前述の例のように、扁平部材が扁平部材収容部に収容されると、扁平部材整列部の整列部材が、傾斜板の他端側（上方側）から一端側（下方側）にスライド移動し、扁平部材の一端部に当接する。これにより、扁平部材が整列される。このとき、扁平部材は傾斜板の傾斜に沿って容易に移動し、整列をスムーズに行うことができる。
【００１２】
本発明の第４形態による扁平部材のディスペンサーは、前記第３形態のディスペンサーにおいて、前記扁平部材整列部は、前記整列部材とともにスライド移動が可能なラックと、前記ラックに噛み合うピニオンギアと、前記ピニオンギアを回転させるためのモーターとを備えている。そして、前記整列部材は、前記ピニオンギアの回転によるラックの移動に伴って、前記扁平部材収容部に収容されている扁平部材の一端部に当接する。
【００１３】
このディスペンサーでは、扁平部材が扁平部材収容部に収容されると、モーターによりピニオンギアが回転する。このピニオンギアはラックと噛み合っており、しかもラックは整列部材とともにスライドする。したがって、ピニオンギアが回転すると、ラック及び整列部材がスライド移動し、整列部材が扁平部材収容部に収容された扁平部材の一端部に当接し、これにより扁平部材が整列される。
【００１４】
本発明の第５形態による扁平部材のディスペンサーは、前記第２形態のディスペンサーにおいて、前記扁平部材取出部は、前記扁平部材収容部に収容されている扁平部材のうちの取出し予定の扁平部材の下面に接触可能な第１取出しローラーと、前記ストッパーに対し１枚の扁平部材が通過可能な間隙をあけて配置されたコロと、前記コロの取出し方向下流側に設けられた第２取出しローラーと、前記第２ローラーとともに扁平部材を挟持して移送する第３取出しローラーと、前記第１、第２及び第３取出しローラーを駆動可能な少なくとも一つのモーターとを備えている。そして、前記扁平部材収容部に収容された扁平部材を取り出す際に、前記取出し予定の扁平部材が前記扁平部材収容部を通過するまで、前記第１取出しローラー及び第２取出しローラーが扁平部材の取出し方向に回転するとともに前記第３取出しローラーが空転し、前記取出し予定の扁平部材が前記扁平部材収容部から送り出されると、前記第１取出しローラー及び第２取出しローラーが空転するとともに前記第３取出しローラーが前記取出し方向と逆方向に回転する。
【００１５】
このディスペンサーでは、各取出しローラーの作動によって、扁平部材を扁平部材収容部から一枚ずつ安定して取り出すことができ、２枚の扁平部材が重ねて取り出されることが抑えられる。
本発明の第６形態による扁平部材のディスペンサーは、前記第５形態のディスペンサーにおいて、前記第１取出しローラー、前記第２取出しローラー及び前記第３取出しローラーは、それぞれ、中空部材と、前記中空部材の内部に挿入されたボビンと、前記ボビンの内部に挿入されて回転軸に連結され回転軸の一方向のみの回転を前記中空部材及びボビンに伝達するクラッチベアリングとを備える。
【００１６】
ここでは、各取出しローラーがクラッチベアリングを有しているので、前述のように、各取出しローラーの回転を容易に制御することができる。
本発明の第７形態による扁平部材のディスペンサーは、前記第５又は第６形態のディスペンサーにおいて、前記扁平部材取出部は、前記第１取出しローラーの回転軸に固定され外周面に歯部が形成されている第１プーリーと、それぞれ前記第２取出しローラーの回転軸に固定されるとともに外周面に歯部が形成されている第２プーリー及び第１小プーリーと、前記第３取出しローラーの回転軸に固定されるとともに前記第１小プーリーと第１動力伝逹手段によって連結され外周面に歯部が形成されている第２小プーリーと、前記モーターの駆動軸に固定され外周面に歯部が形成されている第３プーリーとを更に備えている。そして、前記第１プーリー、第２プーリー及び第３プーリーは第２動力伝逹手段によって連結されている。
【００１７】
ここでは、各取出しローラーを、１つのモーターによって駆動することができる。
本発明の第８形態による扁平部材のディスペンサーは、第７形態のディスペンサーにおいて、第２動力伝逹手段はタイミングベルトであり、前記タイミングベルトの張力を調整するための調整手段を更に備える。
【００１８】
本発明の第９形態による扁平部材のディスペンサーは、前記第１から第８のいずれかの形態によるディスペンサーにおいて、前記扁平部材収容部に収容されている扁平部材の上面を付勢する付勢手段を更に備える。
このような付勢手段を設けると、積層して収容されている扁平部材の移送摩擦力が増大し、ローラーによる取出しが円滑になる。
【００１９】
本発明の第１０形態による扁平部材のディスペンサーは、前記第４形態によるディスペンサーにおいて、前記付勢手段は、前記ピニオンギア駆動用のモーターの回転に連動して作動可能な第１アームと、一端部が前記第１アームに回動可能に連結されている第２アームと、前記第２アームの他端部に設けられ前記扁平部材収容部に収容された扁平部材の上面に当接可能な付勢ローラーと、前記第１アーム及び第２アームの連結部位に設けられ前記付勢ローラーを前記扁平部材収容部に収容された扁平部材に付勢するためのねじりコイルばねとを備える。
【００２０】
このように二つのアームを連結し、その連結部位にねじりコイルばねを設けることにより、積層されている扁平部材の数量にかかわらず一定の摩擦力を円滑に作用させることが可能である。
【００２１】
【発明の実施の形態】
以下、添付図面を参照して本発明の一実施形態による扁平部材のディスペンサーについて説明する。以下では情報の記録及び読み取り可能な扁平部材がＩＣカードである場合について説明する。
図１は、本発明によるＩＣカードディスペンサー１００の構成を示す側面図である。
【００２２】
前記ＩＣカードディスペンサー１００は、ＩＣカード移送部１００ａと、ＩＣカード収容部１００ｂと、ＩＣカード整列部１００ｃと、ＩＣカード取出部１００ｄとを備える。ＩＣカード移送部１００ａは、ＩＣカードディスペンサー１００に投入されるＩＣカードをＩＣカード記録／読み取り機２０によって記録及び読み取り可能な位置に移送して維持するか、またはＩＣカード収容部１００ｂに移送して収容させる機能をする。ＩＣカード収容部１００ｂは、ＩＣカードディスペンサー１００に投入された少なくとも１枚のＩＣカードを収容する。ＩＣカード整列部１００ｃは、ＩＣカード収容部１００ｂに収容されるＩＣカードを整列する。ＩＣカード取出部１００ｄは、ＩＣカード収容部１００ｂに収容されているＩＣカードを１枚ずつ取り出す。
【００２３】
＜ＩＣカード移送部の構成及び作動＞
前記ＩＣカード移送部１００ａは、ステッピングモーター１０と、第１アイドルローラー１１ａと、第１移送ローラー１１ｂと、前記第１アイドルローラー１１ａの取り込み方向下流側に配置されている第２アイドルローラー１２ａと、前記第１移送ローラー１１ｂのさらに取り込み方向下流側に配置されている第２移送ローラー１２ｂと、上部ガイド板１５ａと、下部ガイド板１５ｂとを備える。第１アイドルローラー１１ａ及び第２アイドルローラー１２ａは、アーム１１４、１２４に各々その回転軸が支持されており、前記第１及び第２アイドルローラー１１ａ、１２ａは、ねじりコイルばね１１３、１２３によって第１移送ローラー１１ｂ及び第２移送ローラー１２ｂ側に付勢されている。
【００２４】
第１移送ローラー１１ｂの回転軸の一端には、歯部が外周に形成されているプーリー１１２と平歯車１１１とが設けられ、回転軸の他端は、フレームに対して回転自在に支持されている。そして、プーリー１１２及び平歯車１１１の回転に伴って、第１移送ローラー１１ｂも共に回転するようになっている。第２移送ローラー１２ｂの回転軸の一端には、歯部が外周に形成されているプーリー１２２が設けられ、回転軸の他端は、フレームに対して回転自在に支持されている。そして、プーリー１２２の回転に伴って、第２移送ローラー１２ｂも共に回転するようになっている。ステッピングモーター１０の出力軸には平歯車１０１が固定されている。前記平歯車１１１と平歯車１０１との間には、第１歯部１８１と第２歯部１８２とを備える平歯車１８が配置されている。
【００２５】
平歯車１０１は平歯車１８の第１歯部１８１と噛み合い、平歯車１８の第２歯部１８２は平歯車１１１と噛み合っている。プーリー１１２とプーリー１２２とは、タイミングベルト１３によって互いに連結されている。
上部ガイド板１５ａ及び下部ガイド板１５ｂは互いに平行に配置されており、上部ガイド板１５ａが下部ガイド板１５ｂより装置の内部側に長く延びている。上部ガイド板１５ａ及び下部ガイド板１５ｂには、各々前記第１及び第２アイドルローラー１１ａ、１２ａの一部と第１及び第２移送ローラー１１ｂ、１２ｂの一部とが、両ガイド板１５ａ、１５ｂの間に突出するように開口が形成されている。また、上部ガイド板１５ａには、ＩＣカード記録／読み取り機２０の記録／読み取り部がＩＣカードに情報を記録するか、又は記録された情報を読み取りするために下降してＩＣカードに接触可能なように開口が形成されている。上部ガイド板１５ａ及び下部ガイド板１５ｂは、それぞれフレームにネジによって固定されている。そして、上部ガイド板１５ａ及び下部ガイド板１５ｂには、位置センサー１４、１６、１７が隣接配置されている。位置センサー１４は、ＩＣカードが投入されることを感知し、それを制御部に通知してステッピングモーター１０を駆動させるためのセンサーである。位置センサー１７は、投入され移送されてきたＩＣカードがＩＣカード収容部１００ｂに下降する位置に近づいてきたことを感知して制御部に通知することにより、後述するＩＣカード整列部を作動させるためのセンサーである。位置センサー１６は、投入されたＩＣカードに情報を記録／読み取りしようとするときに、ＩＣカードが記録／読み取り可能な位置に配置されたことを感知し、それを制御部に通知することによって、ＩＣカード移送部の移送動作を停止させるためのセンサーである。
【００２６】
図２及び図３には、投入されたＩＣカードが記録／読み取り可能な位置に配置され、ＩＣカード記録／読み取り機２０がＩＣカードに接触する過程が示されている。
ＩＣカード２００が投入されると、位置センサー１４が投入されたＩＣカード２００を感知し、制御部にＩＣカードの投入を通知し、ステッピングモーター１０を駆動させる。ステッピングモーター１０が駆動すると、ステッピングモーター１０の出力軸に結合されている平歯車１０１が回転し、平歯車１０１に第１歯部が噛み合っている平歯車１８も回転する。平歯車１８の回転によって平歯車１８の第２歯部１８２に噛み合っている平歯車１１１が回転し、それに伴ってプーリー１１２も回転する。平歯車１８とプーリー１１２の回転によって、前記平歯車１８とプーリー１１２とが固定されている回転軸が回転し、よって、第１移送ローラー１１ｂが回転する。このようにして第１移送ローラー１１ｂが回転しつつ、第１アイドルローラー１１ａと第１移送ローラー１１ｂとの間に介在するＩＣカード２００が移送される。一方、プーリー１１２の回転に伴って、タイミングベルト１３によってプーリー１１１２と連結されているプーリー１２２も回転する。そして、第１アイドルローラー１１ａと第１移送ローラー１１ｂとによって移送されるＩＣカード２００の進行側端部が、第２アイドルローラー１２ａ及び第２移送ローラー１２ｂによって挟持されると、ＩＣカード２００は、第１移送ローラー１１ｂ及び第２移送ローラー１２ｂによって移送されるようになる。
【００２７】
ＩＣカード２００が収容目的で投入されたときは、ステッピングモーター１０は駆動し続けてＩＣカード２００をさらに進行させる。ＩＣカードの進行側端部と逆側の端部が、位置センサー１７によって感知可能な位置に来ると、ステッピングモーター１０の回転を止め、投入されたＩＣカードの移送が停止される。
ＩＣカード２００が記録／読み取りの目的で投入されたときは、投入されたＩＣカードの進行側端部が位置センサー１６によって感知可能な位置に来ると、位置センサー１６は、それを感知して制御部に通知し、ステッピングモーター１０の回転を停止させて、それ以上ＩＣカードが進行しないようにする。そして、図３に示すような状態で、ＩＣカード記録／読み取り機２０が下降してＩＣカード２００に接触して、情報を記録するか、又はＩＣカードに記録されている情報を読み取る。ここで、下部ガイド板１５ｂには、前記情報記録／読み取り可能な位置においてＩＣカード２００を支持するために、扁平な突出部１５５が形成されるのが望ましい。
【００２８】
＜ＩＣカード整列部及びＩＣカード収容部の構成及び作動＞
ＩＣカード整列部１００ｃは、出力軸側にピン３６が固定されている減速形モーター３０と、前記ピン３６がスライド可能に貫通するスロット３５が形成されているクランクアーム３７と、前記クランクアーム３７の端部にアーム部３８及び回転軸５２０を介して回動自在に連結されているピニオンギア４０と、整列スライド部材４６と、前記ピニオンギア４０と噛み合って整列スライド部材４６の下端に結合されているラック４５とを備える。また、前記クランクアーム３７の中間部には、積層されて収容されているカードの上部を付勢するための付勢手段５００が連結されている。前記ピニオンギア４０は、全周には歯部が形成されておらず、一部にのみ歯部が形成されている。また、図４に示すように、整列スライド部材４６の端部には位置戻し用コイルばね４７の一端部が連結され、前記戻し用コイルばね４７の他端部はフレームに固定されている。
【００２９】
前記付勢手段５００は、クランクアーム３７の中間部に連結されている第１アーム部５２と、前記第１アーム部５２に対し回動可能に連結されている第２アーム部５０と、前記第１アーム部５２及び第２アーム部５０の連結部位に設けられているねじりコイルばね５１とを備える。また、第２アーム部５０の端部には付勢ローラー５５が設けられている。ねじりコイルばね５１は、付勢手段５００に付勢力を作用させる。このように付勢手段５００に第１アーム部５２及び第２アーム部５０を設け、その連結部位にねじりコイルばね５１を設けることによって、積層されて収容されるＩＣカードの枚数に関わらず、一定で、かつ円滑な摩擦力を作用させることが可能である。
【００３０】
ＩＣカード収容部１００ｂは、所定の角度で一端側が下方へ傾いている傾斜板５９と、収容されているＩＣカードが傾斜板５９に沿って滑り落ちるのを防ぐためのストッパー８０とから構成されている。ストッパー８０は、傾斜板５９の最下流側（下端側）に配置され、傾斜板５９に対して１枚のＩＣカードが通過するほどの隙間を維持するように配置されている。
【００３１】
図４には、前述したＩＣカード移送部１００ａによって移送されたＩＣカード２００が、下降可能な位置に移送されて下降する状態が示されている。このように、投入されたＩＣカード２００が下降する時、図４に示したように、付勢手段５００は、ＩＣカード２００の下降を妨げないような位置に配置されている。ステッピングモーター１０の駆動と第１及び第２移送ローラー１１ｂ、１２ｂの駆動によって移送されて来たＩＣカード２００は、下部ガイド板１５ｂを離脱しつつ重力によって下方へ下降する。落下してきたＩＣカード２００は、順次に傾斜板５９上に積層されて収容される。一方、ＩＣカード２００が落下すると減速形モーター３０が駆動する。減速形モーター３０が駆動すると、減速形モーター３０に固定されているピン３６がクランクアーム３７のスロット３５内を移動してクランクアーム３７を揺動させる。
【００３２】
クランクアーム３７の揺動によって、クランクアーム３７の中間部に連結されている付勢手段５００が、図５に示された位置に下降し、傾斜板５９上に積層されているＩＣカード２００の上部に接触する。一方、クランクアーム３７の揺動によって、アーム部３８及び回転軸５２０を介してクランクアーム３７に連結されているピニオンギア４０が回転する。このようにしてピニオンギア４０が回転すると、ピニオンギア４０に噛み合っているラック４５がＩＣカード側に向いて直線移動し、ラック４５に結合されている整列スライド部材４６も、図５に示したように、ＩＣカード側に向いて移動する。
【００３３】
クランクアーム３７が更に揺動すると、付勢手段５００の第１アーム５２がより下方へ付勢され、直線状を成していた第１アーム５２及び第２アーム５０が所定の角度を成すようになり、ねじりコイルばね５１によって第２アーム５２に付勢力が加えられ、よって第２アーム５０の端部に結合されている付勢ローラー５５が、積層されているＩＣカード２００を傾斜板５９に対して付勢する。傾斜板５９に対し、積層されているＩＣカード２００を付勢することで、ＩＣカードが下方へ移動しようとすることを防止することができ、後述するＩＣカード取出部を構成するローラーの駆動によって、ＩＣカード２００を１枚ずつ取出しすることが容易になる。
【００３４】
また、クランクアーム３７の揺動によって、ラック４５が移動し続け、図６に示すように、整列スライド部材４６が積層されているＩＣカード２００の後端部に当接するようになる。前記整列スライド部材４６が積層されているＩＣカード２００の後端部に当接し、ＩＣカードが整列されることによって、ＩＣカードの取出しがより容易になる。一方、前述したように、整列スライド部材４６がＩＣカードに当接して整列がなされると、ピニオンギア４０の外周の歯部が形成されていない部分がラック４５に対向するようになり、ラック４５は、それ以上進行せず、戻しコイルばね４７によって図４に示された位置に戻される。
【００３５】
＜ＩＣカード取出部の構成及び作動＞
ＩＣカード２００の取出部１００ｄは、積層されているＩＣカード中、取出し予定であるＩＣカードの下面に接触する第１取出しローラー５６と、前記ストッパー８０に対してＩＣカード１枚が通過できるほどの間隙を置いて配置されているコロ５８と、前記コロ５８の取り出し方向下流側に配置されている第２取出しローラー６０と、前記第２取出しローラー６０との間にＩＣカードを狭持して移送できるように配置されている第３取出しローラー６４と、前記第１、第２、及び第３取出しローラー５６、６０、６４を駆動可能な少なくとも一つのモーター６１とを備える。第１取出しローラー５６は、図７に示すように、筒状ボディー部５６１と、前記筒状ボディー部５６１の内部に収納されるボビン５６２と、前記ボビン５６２内に設けられボールサイレントラチェット構造を取っているクラッチベアリング５６３とを備える。第２取出しローラー６０及び第３ローラー６４の構成も第１取出しローラー５６と同様である。
【００３６】
第１取出しローラー５６のクラッチベアリング５６３は、前述のように、ボールサイレントラチェット構造をとり、第１取出しローラー５６の回転軸が反時計方向に回転するときは第１取出しローラー５６が回転するようにし、回転軸が時計方向に回転するときは第１取出しローラー５６が回転軸に伴って回転せずに空転するようにする。
【００３７】
第２取出しローラー６０のクラッチベアリングもボールサイレントラチェット構造を取り、第２取出しローラー６０の回転軸が反時計方向に回転する時は第２取出しローラー６０が回転するようにし、回転軸が時計方向に回転する時は第２取出しローラー６０が回転軸に伴って回転せずに空転するようにする。
第３取出しローラー６４のクラッチベアリングは、ボールサイレントラチェット構造をとっているが、前記第１及び第２取出しローラー５６、６０の回転軸が時計方向に回転する時は第３取出しローラー６４が共に回転するようにし、回転軸が反時計方向に回転する時は第３取出しローラー６４が回転軸に伴って回転せずに空転するようにする。
【００３８】
前記第１取出しローラー５６の回転軸には、外周面に歯部が形成されている第１プーリー５６ａが固定され、第２取出しローラー５６の回転軸には、各々外周面に歯部が形成されている第２プーリー６０ａ及び第１小プーリー６０ｂが固定され、第３取出しローラー６４の回転軸には、外周面に歯部が形成されている第２小プーリー６４ａが固定されている。モーター６１の出力軸には、外周面に歯部が形成されている第３プーリー６１ａが固定されている。更に、第３取出しローラー６４の回転軸で第２小プーリー６４ａが固定されている側の反対側にも、外周面に歯部が形成されているプーリー（図示せず）が固定されている。
【００３９】
図７に示したように、第１プーリー５６ａ、第２プーリー６０ａ、及び第３プーリー６１ａは、タイミングベルト５７によって連結され、モーター６１の駆動力は第１プーリー５６ａ及び第２プーリー６０ａに伝逹される。第１小プーリー６０ｂと第２小プーリー６４ａとはタイミングベルト６３によって連結されている。
【００４０】
また、図１に示すように、第２取出しローラー６０及び第３取出しローラー６４の取り出し方向下流側には第４取出しローラー６６と第５取出しローラー６７とが配置している。第４取出しローラー６６の回転軸には外周面に歯部が形成されているプーリー（図示せず）が固定されており、前記プーリーは、第３取出しローラー６４の回転軸で第２小プーリー６４ａが固定されている側の反対側に固定されている前記プーリー（図示せず）とタイミングベルト（図示せず）で連結されている。
【００４１】
一方、タイミングベルト５７に対しては、第１プーリー５６ａ及び第３プーリー６１ａの間に設けられた張力調節中間プーリー（図７には図示せず）６８が押圧されており、この張力調節中間プーリー６８によってタイミングベルト５７の張力を調節することができる。
傾斜板５９に積層されている複数のＩＣカードのうちの１枚を取り出す時は、モーター６１が作動し、第３プーリー６１ａ及び第１プーリー５６ａを介して第１取出しローラー５６が反時計方向に回転する。そして、前記モーター６１の駆動によって、第２取出しローラー６０も半時計方向に回転し、第３取出しローラー６４は空転する。
【００４２】
第１取出しローラー５６が反時計方向に回転すると、第１取出しローラー５６が接触するＩＣカードが傾斜板５９の下流側に沿って下降する。ストッパー８０に対し所定の間隔を置いてコロ５８が配置されており、これによりＩＣカードの下方への移動が円滑になる。
下降するＩＣカードは、ストッパー８０とコロ５８との間の隙間を通過し、第２取出しローラー６０及び第３取出しローラー６４の間に進行する。
【００４３】
下降するＩＣカードが下降を続け、ＩＣカードの上流側端部がストッパー８０を通過すると、前記モーター６１は回転方向が切り換えられ、前述した回転方向と反対方向に出力軸を回転させる。すると、前述したようなクラッチベアリングの構造によって、第１取出しローラー５６及び第２取出しローラー６０は空転するようになり、第３取出しローラー６４は時計方向に回転して下降するＩＣカードを取出口側に移送する。続いて、ＩＣカードは第４取出しローラー６６と第５取出しローラー６７との間を通過し、取出口に隣接して配置されているコロ軸受９０を経て装置外部に取り出される。
【００４４】
前述したように、各取出しローラーにクラッチベアリングが設けられているので、取出し予定であるＩＣカードがＩＣカード収容部１００ｂから完全に送り出されると、この送り出しの終了と同時に、次回取出し予定であるＩＣカードに当接する取出しローラーが空転するようになり、取り出されるＩＣカードは取出しローラーによって移送され続けて取り出されるために、ＩＣカードが重送して取出されるのを防止できる。
【００４５】
＜応用例＞
本発明によるＩＣカードディスペンサー１００は、並べて配置された複数の遊技機本体の間に配置される貨幤情報処理装置に使用可能である。前記貨幤情報処理装置は、遊技者が現金を投入すると、前記ＩＣカード収容部に収容されていた複数のＩＣカード中から１枚が取出され、遊技者が取り出されたＩＣカードを再び投入すると、前記投入された現金情報をＩＣカードに記録し、それに基づいた信号を前記遊技機本体に送って遊技者が遊技を行うようにする装置である。前記貨幤情報処理装置は、本出願人が出願した韓国特許出願第１０−２００２−００１６８６１号、及びそれに基づいた日本特許出願第２００２−１０２１５７号に記載されている。
【００４６】
本発明によるＩＣカードディスペンサー１００の前記貨幤情報処理装置に用いられる場合における作動について説明する。
図８〜図１３には、前記貨幤情報処理装置に採用された場合における本発明によるＩＣカードディスペンサー１００の作動過程が示されている。
ここでは、遊技者が貨幤情報処理装置に現金を投入すると、前述したＩＣカード取出し過程を経て、図８に示したようにＩＣカード２００が取り出される。取り出されたＩＣカード２００には金額情報が格納されていない。
【００４７】
遊技者は、図９に示したように、取り出されたＩＣカード２００を再びカード投入口に投入する。すると、位置センサー１４がそれを感知してステッピングモーター１０が駆動され、ステッピングモーター１０の出力軸に固定されている第１移送ローラー１１ｂ及び第２移送ローラー１２ｂが回転し、これにより、投入されたＩＣカード２００が情報の記録／読み取り可能な位置に移送される。ＩＣカードが移送されて、進行側端部が、位置センサー１６によって感知可能な位置にくると、ステッピングモーター１０の回転が停止され、投入されたＩＣカード２００が図１０に示された位置に配置される。図１０に示された位置でＩＣカードを支持するために、下部ガイド板１５ｂには突出部１５５が設けられている。投入されたＩＣカードが図１０に示された位置に配置されてステッピングモーター１０の回転が停止すると、ＩＣカードに情報を記録／読み取りするＩＣカード記録／読み取り機２０の記録／読み取り部が、図１１に示したように下降し、ＩＣカードに接触した後、情報を記録／読み取りする。本応用例のように、遊技機の間に配置される貨幤情報処理装置に用いられる場合、前記ＩＣカード記録／読み取り機２０は、遊技者が投入した現金の金額情報を投入されたＩＣカード２００に記録し、記録された金額情報の中、遊技に使おうとする金額にあたる情報を読み取りする。
【００４８】
遊技が終了すると、再びステッピングモーター１０が駆動され、ＩＣカード２００は、第２移送ローラー１２ｂ及び第２アイドルローラー１２ａによって、下部ガイド板１５ｂに支持されない位置まで更に移送され、図１２に示したように、ＩＣカード収容部１００ｂに落下する。このように、ＩＣカードが収容部１００ｂに落下する時は、クランクアーム３７、及び前記クランクアーム３７に搖動可能に結合している付勢手段５００は、ＩＣカードの落下を妨げない位置に維持される。
【００４９】
ＩＣカード２００が完全に落下してＩＣカード収容部１００ｂに収容されると、減速形モーター３０が駆動され、前述した過程に従って整列スライド部材４６を積層されているＩＣカードの後端部に当接させてＩＣカードを整列させる。また、付勢手段５００は、積層されて収容されているＩＣカードの上部を付勢して、次回に取り出されるＩＣカードがより容易に取り出されるようにする。
【００５０】
以上のように、望ましい実施形態を参照して本発明を説明したが、前記実施形態に含まれる構成要素全てが本発明の目的達成のために必須ではなく、本発明の権利範囲は添付する特許請求の範囲に記載されたことによるものである。又、本発明の実施形態の説明においてＩＣカードディスペンサーを例にして説明したが、本発明はそれに限定されるのではなく、ＩＣカードディスペンサー以外にも様々な扁平部材を収容して取出しする装置に用いられるということを添付される請求項から理解すべきである。当業者にとって本発明に関して様々な変更または改良が可能であろうが、このような変更乃至改良された事項も本発明の権利の範囲に属するということを理解しなければならない。
【００５１】
【発明の效果】
本発明によると、情報の記録及び読み取りが可能な扁平部材のディスペンサー、例えば、ＩＣカードディスペンサーに積層されて収容される複数枚のＩＣカードを自動整列することができ、特に、付勢手段によって一定の付勢力を積み重なって収容されているＩＣカードに作用させることができるため、スリップ現象によってＩＣカードが取り出されないことや、重送によって２枚重なって取り出されてしまう可能性が著しく減少する。また、付勢手段のアームを二つ設置し、その間にねじりコイルばねを設けることで、積層されているＩＣカードの数量にかかわらず、一定で、かつ円滑な摩擦力を作用させることができる效果がある。
【図面の簡単な説明】
【図１】本発明による扁平部材のディスペンサーの構成を示す側面図。
【図２】本発明によるディスペンサーに扁平部材が投入されて記録／読み取りが可能な位置に配置している状態を示す一部側面図。
【図３】図２の位置に配置された扁平部材に扁平部材記録／読み取り機が接触している状態を示す一部側面図。
【図４】扁平部材が収容部に収容されて整列される過程を示す一部側面図。
【図５】扁平部材が収容部に収容されて整列される過程を示す一部側面図。
【図６】扁平部材が収容部に収容されて整列される過程を示す一部側面図。
【図７】図１に示すディスペンサーの扁平部材取出部を構成するローラーの配列関係を示す斜視図。
【図８】図１に示す扁平部材のディスペンサーが利用される応用例における作動過程を示す側面図。
【図９】図１に示す扁平部材のディスペンサーが利用される応用例における作動過程を示す側面図。
【図１０】図１に示す扁平部材のディスペンサーが利用される応用例における作動過程を示す側面図。
【図１１】図１に示す扁平部材のディスペンサーが利用される応用例における作動過程を示す側面図。
【図１２】図１に示す扁平部材のディスペンサーが利用される応用例における作動過程を示す側面図。
【図１３】図１に示す扁平部材のディスペンサーが利用される応用例における作動過程を示す側面図。
【符号の説明】
１０：ステッピングモーター
１１ａ、１２ａ：アイドルローラー
１１ｂ、１２ｂ：移送ローラー
１３：タイミングベルト
１４、１６、１７：位置センサー
１５ａ：上部ガイド板
１５ｂ：下部ガイド板
１８：平歯車
２０：ＩＣカード記録／読み取り機
３０：減速形モーター
３５：スロット
３７：クランクアーム
４０：ピニオンギア
４５：ラック
４６：整列スライド部材
５１：ねじりコイルばね
５５：付勢ローラー
５７：タイミングベルト
５６、６０、６４：取出しローラー
６９：張力調節ばね
８０：ストッパー
５００：付勢手段
【図１】
2004021271.tif 000003
【図２】
2004021271.tif 000004
【図３】
2004021271.tif 000005
【図４】
2004021271.tif 000006
【図５】
2004021271.tif 000007
【図６】
2004021271.tif 000008
【図７】
2004021271.tif 000009
【図８】
2004021271.tif 000010
【図９】
2004021271.tif 000011
【図１０】
2004021271.tif 000012
【図１１】
2004021271.tif 000013
【図１２】
2004021271.tif 000014
【図１３】
2004021271.tif 000015